(57)【要約】【課題】介護者が、センサー情報により被介護者の状態を容易に認識可能とする。【解決手段】介護システムは、被介護者に装着されたセンサー及び又は被介護者の居室に設置されたセンサーと、センサーが検知するセンサー情報を受信し、電話機用インターフェースを用いてセンサー情報を送信する送受信機と、センサーが検知するセンサー情報の状態に応じて通報の条件を管理する管理テーブルと、管理テーブルを参照して、センサーが検知するセンサー情報に応じて介護者への通報を指示する処理装置とを有し、電話機用インターフェースは通報を送信する。【選択図】図１
2020064462.tif 000002
【特許請求の範囲】
【請求項１】
被介護者に装着されたセンサー及び又は被介護者の居室に設置されたセンサーと、
前記センサーが検知するセンサー情報を受信し、該センサー情報を、電話機用インターフェースを用いて送信する送受信機と、
前記センサーが検知するセンサー情報の状態に応じて通報の条件を管理する管理テーブルと、
前記管理テーブルを参照して、前記センサーが検知するセンサー情報に応じて介護者への通報を指示する処理装置と、を有し、
前記電話機用インターフェースは前記通報を送信することを特徴とする介護システム。
【請求項２】
被介護者に装着されたセンサー及び又は被介護者の居室に設置されたセンサーと、
前記センサーが検知するセンサー情報を受信し、該センサー情報を送信する送受信機と、
前記センサーが検知するセンサー情報の状態に応じて通報の条件を管理する管理テーブルと、
前記管理テーブルを参照して、前記センサーが検知するセンサー情報に応じて介護者への通報を指示する処理装置と、を有し、
前記送受信機は更に、送受信の制御を行う処理ユニットと、前記処理ユニットの制御により、複数の色を表示することができる表示部を有し、
前記処理ユニットは、前記処理装置から送信される、前記通報に応じて予め定められた色を表示するように前記表示部を制御する
ことを特徴とする介護システム。
【請求項３】
電話機は、前記電話機用インターフェースの所定のチャネルを使用して、音声情報を電話機インターフェースパッケージへ送信し、
前記送受信機は、前記電話機用インターフェースの所定のチャネルを使用して、前記センサー情報を前記電話機インターフェースパッケージへ送信する
ことを特徴とする請求項１に記載の介護システム。
【請求項４】
前記送受信機は、前記センサー情報を取得する汎用インターフェースと、取得した前記センサー情報を送信する電話機用インターフェースとを有し、
前記送受信機は、電話機用インターフェースが持つ所定のチャネルを使用して送信することを特徴とする請求項２に記載の介護システム。
【請求項５】
電話機が接続される前記電話機用インターフェースを持つ電話交換機は制御装置を有し、
前記制御装置には、ナースコールシステムが接続されるナースコールインターフェースパッケージと、インターホンが接続されるインターホンインターフェースパッケージと、ＰＨＳが接続される構内ＰＨＳ親機インターフェースパッケージと、の少なくとも１つが接続され、
前記制御装置は、前記少なくとも１つのインターフェースパッケージに対して、呼出処理又はメッセージ送出の処理を行う
ことを特徴とする請求項１又は４に記載の介護システム。
【請求項６】
前記制御装置は、前記所定のチャネルによる前記送受信機からの情報かを判断し、
前記所定のチャネルによる前記送受信機からの情報でないと判断した場合は、前記送受信機が接続された前記電話機インターフェースパッケージ以外のパッケージの処理を行う
ことを特徴とする請求項４に記載の介護システム。
【請求項７】
前記電話機インターフェースパッケージは、マルチ接続可能な多機能電話機を接続することができる多機能電話機インターフェースパッケージであり、
前記多機能電話機の設定には前記送受信機が接続される、
ことを特徴とする請求項３に記載の介護システム。
【請求項８】
前記所定のチャネルは、ＢチャネルとＤチャネルとを有し
前記電話機は、
前記Ｂチャネルを使用して前記音声情報を前記電話機インターフェースパッケージに送信し、前記Ｄチャネルを使用して制御情報を前記電話機インターフェースパッケージに送信し、
前記送受信機は、
前記Ｂチャネルを使用して前記センサーから常時出力される前記センサー情報を前記電話機インターフェースパッケージに送信し、前記Ｄチャネルを使用して前記センサーから間欠的に出力される前記センサー情報を前記電話機インターフェースパッケージに送信することを特徴とする請求項３に記載の介護システム。
【請求項９】
電話機用インターフェースを用いて、センサー情報を収集して処理するデータ処理方法であって、
送受信機が、センサーが検知するセンサー情報を、汎用インターフェースを用いて受信するステップと、
前記送受信機が、前記センサー情報を、前記電話機用インターフェースを用いて送信するステップと、
処理装置が、前記センサー情報の状態に応じて通報の条件を管理するステップと、
前記処理装置が、前記電話機用インターフェースを介して受信される前記センサー情報を前記通報の条件に基づいて判定処理して、通報を指示するステップと、
前記電話機用インターフェースが、前記通報を送信すること
を特徴とするデータ処理方法。
【請求項１０】
前記送受信機は表示部を有し、
前記表示部は、処理装置から送信される指示に応じて予め定められた色を表示する
ことを特徴とする請求項９に記載のデータ処理方法。
【請求項１１】
前記電話機は、前記電話機用インターフェースの所定のチャネルを使用して、音声情報を電話機インターフェースパッケージへ送信し、
前記送受信機は、前記電話機用インターフェースの所定のチャネルを使用して、前記センサー情報を前記電話機インターフェースパッケージへ送信する
ことを特徴とする請求項９に記載のデータ処理方法。
【請求項１２】
前記センサーは複数のセンサーを含み、
前記送受信機は、
前記複数のセンサーのうちの第１のセンサーから取得する第１のセンサー情報を前記電話機用インターフェースが持つ第１のチャネルを使用して前記電話機インターフェースパッケージへ送信し、
前記複数のセンサーのうちの第２のセンサーから取得する第２のセンサー情報を前記電話機用インターフェースが持つ第２のチャネルを使用して前記電話機インターフェースパッケージへ送信する、
ことを特徴とする請求項１１に記載のデータ処理方法。
【請求項１３】
前記第１のセンサーは、対象者のおむつに装着されて、対象者の排泄を検知するおむつセンサーであり、
前記第２のセンサーは、介護施設の居室に設置されて、気温を検知する温度センサーである、
ことを特徴とする請求項１２に記載のデータ処理方法。
【請求項１４】
前記送受信機を識別する識別ＩＤと、前記送受信機が設置される場所を識別する情報とを登録する第１のテーブルと、
前記センサーが検知するセンサー情報の状態に応じて発報の条件、通知先の電話番号、表示色、着信音を登録する第２のテーブルと、を有し、
前記処理装置は、前記センサー情報の処理結果に基づいて、前記第２のテーブルに登録された電話番号へ発報し、かつ表示色を指定する情報を送信すること
ことを特徴とする請求項１０に記載のデータ処理方法。
【請求項１５】
センサーが検知するセンサー情報を受信する汎用インターフェースと、
電話機用インターフェースと、
前記汎用インターフェースを介して受信するセンサー情報を、前記電話機用インターフェースへ送出し、前記電話機用インターフェースを介して送られる制御情報の受信を行う処理ユニットと、
前記処理ユニットに接続され、複数の色を表示することができる表示部と、を有し、
前記処理ユニットは、前記制御情報に応じて予め定められた色を表示するように、前記表示部を制御することを特徴とする送受信機。
【請求項１６】
前記電話機用インターフェースは、ＢチャネルとＤチャネルを有する多機能電話機インターフェースであること、
を特徴とする請求項１５に記載の送受信機。
【請求項１７】
前記Ｄチャネルは、おむつセンサーが検知する前記センサー情報を送信することを特徴とする請求項１６に記載の送受信機。
【請求項１８】
少なくとも前記処理ユニット及び前記表示部を収納し、前記表示部が発光する色を外部から認識可能な透明または半透明性のプラスチック部材で形成されたケースを備え、
前記ケースの底部には、複数の脚または引掛け部が設けられる、
ことを特徴とする請求項１５に記載の送受信機。
【請求項１９】
対象物の状態を検知するセンサーからのセンサー情報を受信し、該センサー情報を送信する制御を行う処理ユニットと、前記処理ユニットの制御により複数の色を表示することができる表示部とを有する送受信機と、
前記センサー情報の状態に応じて通報の条件を管理し、前記センサー情報に応じて該通報を指示する処理装置と、を有し、
前記送受信機の前記処理ユニットは、前記処理装置から送信される、前記通報に応じて予め定められた色を表示するように前記表示部を制御する
ことを特徴とするセンサー情報処理システム。
【発明の詳細な説明】
【技術分野】
【０００１】
本発明は、介護システム、データ処理方法、センサー情報処理システム、及び送受信機に係り、特に介護システムにおける被介護者等の状態をセンサーで検知して、その検知したセンサー情報に応じて通報するセンサー情報の収集及び処理に関する。
【背景技術】
【０００２】
介護施設における重要な処置として被介護者のおむつの交換作業がある。従来では、被介護者の押釦スイッチの操作による呼出し（ナースコール）に応じて介護者（介護スタッフということがある）が被介護者の部屋に出向いて行っておむつの状態を確認し、或いは定期的に巡回して確認する、といった方法がとられていた。
【０００３】
最近では、介護者の負担を軽減し、かつ被介護者の排泄があった最適なタイミングでおむつを交換するために、尿センサーを用いて排尿を検知して管理コンピュータ（或いはパソコン（ＰＣ））が、介護者の所持する携帯端末に排尿検知を通報するシステムが知られている（特許文献１、２参照）。
【先行技術文献】
【特許文献】
【０００４】
【特許文献１】特開２０１６−４９４０１号公報
【特許文献２】特開２００２−１４９８２５号公報
【発明の概要】
【発明が解決しようとする課題】
【０００５】
特許文献１，２に記載の介護システムによれば、管理コンピュータから介護者が持つ携帯端末へメッセージを音声情報や文字情報を送信して、携帯端末に音声出力及び文字表示している。或いはパソコンの表示器に表示している。然るに、携帯端末がメッセージを受信した時に介護者が処置中のため手が塞がっている場合があり、即座に携帯端末に対応できるとは限らない。また、パソコンの表示は一般に管理者が見ており、全ての介護者がその都度見るとは限らない。更に通常、メッセージは管理コンピュータがおむつの交換と判断した時に通知されるので、その時以外、介護者には被介護者のおむつの状態が分からない。そこで、尿センサー等により検知される被介護者の状態を常時可視化できれば、介護施設或いは介護者にとって便利である。
【０００６】
また、介護者が所持するＰＨＳや携帯電話機へ音声情報のメッセージを通知するためには、一般的に電話交換機（ＰＢＸ）が使用されている。そこで、発明者らは、特許文献１，２に記載のような、管理コンピュータやパソコン（ＰＣ）がセンサーからの情報を取得して、おむつ交換等の判定や通知等の処理を行うよりも、ＰＢＸが有する機能例えば電話インターフェースを使用してセンサー情報を受信して処理できれば、簡便で効果的である、と考えた。
【０００７】
従って、本発明の目的は、介護者がセンサー情報により被介護者の状態を容易に認識することができる介護システム、データ処理方法、センサー情報処理システム、及び送受信機を提供することにある。
また、本発明の目的は、センサー情報の送受信を行う送受信機を用いて、センサー情報の処理に応じて可視化することにある。
また、本発明の目的は、電話交換機が持つ機能を利用して、センサー情報の送受信や介護者への通知を行うことにある。
【課題を解決するための手段】
【０００８】
本発明の一態様による介護システムは、被介護者に装着されたセンサー及び又は被介護者の居室に設置されたセンサーと、前記センサーが検知するセンサー情報を受信し、該センサー情報を、電話機用インターフェースを用いて送信する送受信機と、前記センサーが検知するセンサー情報の状態に応じて通報の条件を管理する管理テーブルと、前記管理テーブルを参照して、前記センサーが検知するセンサー情報に応じて介護者への通報を指示する処理装置と、を有し、前記電話機用インターフェースは前記通報を送信することを特徴とする介護システム、として構成される。
【０００９】
また、本発明の一態様によるデータ処理方法は、電話機用インターフェースを用いて、センサー情報を収集して処理するデータ処理方法であって、送受信機が、センサーが検知するセンサー情報を、汎用インターフェースを用いて受信するステップと、前記送受信機が、前記センサー情報を、前記電話機用インターフェースを用いて送信するステップと、処理装置が、前記センサー情報の状態に応じて通報の条件を管理するステップと、前記処理装置が、前記電話機用インターフェースを介して受信される前記センサー情報に対いて、前記通報の条件に基づいて判定処理して通報を指示するステップと、前記電話機用インターフェースが、前記通報を送信することを特徴とするデータ処理方法、として構成される。
【００１０】
また、本発明の一態様によるセンサー情報処理システムは、対象物の状態を検知するセンサーからのセンサー情報を受信し、該センサー情報を送信する制御を行う処理ユニットと、前記処理ユニットの制御により複数の色を表示することができる表示部とを有する送受信機と、
前記センサー情報の状態に応じて通報の条件を管理し、前記センサー情報に応じて該通報を指示する処理装置と、を有し、
前記送受信機の前記処理ユニットは、前記処理装置から送信される、前記通報に応じて予め定められた色を表示するように前記表示部を制御することを特徴とするセンサー情報処理システム、として構成される。
【００１１】
また、本発明の一態様による送受信機は、センサーが検知するセンサー情報を受信する汎用インターフェースと、電話機用インターフェースと、前記汎用インターフェースを介して受信するセンサー情報を、前記電話機用インターフェースへ送出し、前記前記電話機用インターフェースを介して送られる制御情報の受信を行う処理ユニットと、前記処理ユニットに接続され、複数の色を表示することができる表示部と、を有し、
前記処理ユニットは、前記制御情報に応じて予め定められた色を表示するように、前記表示部を制御することを特徴とする送受信機、として構成される。
【発明の効果】
【００１２】
本発明によれば、介護者がセンサー情報により被介護者の状態を容易に認識することができる。また、センサー情報の送受信を行う送受信機を用いて、センサー情報の処理に応じて可視化することが可能となる。更に、電話交換機が持つ機能を利用して、センサー情報の送受信や介護者への通知を行うことが可能となる。
【図面の簡単な説明】
【００１３】
【図１】一実施例による介護システムを示す図である。
【図２】多機能電話機ＩＦパッケージと多機能電話機との間の通信方式を示す図である。
【図３】センサー受信機と多機能電話機ＩＦパッケージとの間の通信方式を示す図である。
【図４】センサー用Ｄチャネル（Ｄｃｈ）の内容例を示す図である。
【図５】センサー用Ｂチャネル（Ｂｃｈ）の内容例を示す図である。
【図６】Ｄチャネルのリンクアクセスのためのフレーム送受信の手順を示すシーケンス図である。
【図７】センサー受信機のブロック構成図である。
【図８】センサー受信機の外観図である。
【図９】センサー情報の送受信及び通知制御の動作（例１）を示すフローチャートである。
【図１０】センサー情報管理テーブル及び受信機管理テーブルの構成を示す図である。
【図１１】センサーコール条件管理テーブルの構成を示す図である。
【図１２】センサー情報の送受信及び通知制御の動作（例２）を示すフローチャートである。
【図１３】他の実施例によるセンサーコール条件管理テーブルの構成を示す図である。
【発明を実施するための形態】
【００１４】
以下、図面を用いて本発明の実施例について説明する。
図１を参照して、一実施例による介護システムについて説明する。介護システムは介護施設に、センサー情報処理システムないしセンサー情報処理方法を適用することで実現される。
【００１５】
図１に示す介護システムにおいて、電話交換機（構内交換機：ＰＢＸ）１００は、ナースコールインターフェースパッケージ（ナースコールＩＦパッケージ）１０１、インターホンインターフェースパッケージ（インターホンＩＦパッケージ）１０２、構内ＰＨＳ親機インターフェースパッケージ（構内ＰＨＳ親機ＩＦパッケージ）１０３、多機能電話機インターフェースパッケージ（多機能電話機ＩＦパッケージ）１０４、１０５、中央制御装置（ＣＣＵ）１０６、及び処理装置１０７を有する。ここで、多機能電話機ＩＦパッケージ１０４、１０５は、多機能電話機インターフェースを持つ。ここで、多機能電話機とは、電話交換機に接続された電話機であり、特に構内で内線電話を可能にする電話機を言う。
【００１６】
ナースコールＩＦパッケージ１０１は、ナースコールシステム１０８に配置されたサーバ１０９に接続されている。サーバ１０９は、マイク／スピーカ付き握りボタン１１０に接続されてナースコールを受け付ける。インターホンＩＦパッケージ１０２は、スタッフコールシステム１１１に配置された埋め込み型インターホン１１２に接続されている。構内ＰＨＳ親機ＩＦパッケージ１０３は、ＢＳアンテナ１１３に接続され、介護スタッフが所有するＰＨＳ１１４を介して通話を行う。多機能電話機ＩＦパッケージ１０４は、事務所１１５に配置された多機能電話機１１６に接続されている。
【００１７】
多機能電話機ＩＦパッケージ１０５は、食堂や休憩場所等の共同施設１１７に設置される多機能電話機１１８に接続されている。多機能電話機１１８は、マルチ接続が可能な構成（マルチ設定Ａ、マルチ設定Ｂ）を有している。例えば、多機能電話機１１８のマルチ設定Ｂにセンサー受信機１２１が接続されている。センサー受信機１２１は、多機能電話機ＩＦパッケージ１０５の持つ多機能電話機インターフェースと同じ多機能電話機インターフェースを持っている。ここで、多機能電話機１１８は、マルチ接続が可能な構成を有しているので、設定に応じてセンサー受信機１２１からのセンサー情報の受信と通常の通話が可能になる。
【００１８】
また、多機能電話機ＩＦパッケージ１０５には、センサー受信機１２０が直接接続されている。センサー受信機１２０は、多機能電話機ＩＦパッケージ１０５の持つ多機能電話機インターフェースと同じ多機能電話機インターフェースを持っている。以後、センサー受信機１２０、１２１を総じて、センサー受信機１２と表すことがある。
【００１９】
センサー受信機１２には、センサー１３が無線又は有線により接続される。センサー１３には複数のセンサーが含まれる。例えば、被介護者に装着されたおむつセンサー、入居者の部屋１４に設置された温湿度センサー、被介護者の動きを検知する画像センサー、被介護者の音声を検知する音声センサー、居室のドア開閉センサー、被介護者の体温を検知する体温センサー、等がある。おむつセンサーには尿センサーと大便センサーの２種類がある。
【００２０】
センサー受信機１２は、汎用インターフェースを介して、センサー１３が検知するセンサーデータ（センサー情報）を受信する。ここで、汎用インターフェースとしては、有線ならばＬＡＮ、ＵＳＢ（Universal Serial Bus）等が使用され、無線ならばＷｉｆｉ（登録商標）、Ｂｌｕｅｔｏｏｔｈ（登録商標）等が使用される。
【００２１】
処理装置１０７は、ＰＢＸ１００内に実装されたデータ処理装置であり、中央制御装置１０６との間でバスを介して情報のやり取りを行ってデータ処理を行う。処理装置１０７は内臓ＰＣ（パーソナルコンピュータ）と言ってもよい。処理装置１０７は、処理部と記憶部を有している。処理部はデータ処理を行うプロセッサであり、記憶部はセンサー１３が検知したセンサー情報を処理するための各種の管理テーブルを保管している（これについては後述する）。また、記憶部はセンサー情報に含まれる各センサーの測定データを格納する。
【００２２】
中央制御装置１０６は、センサー受信機１２０からのセンサー情報あるいは多機能電話機１１８からのセンサー情報を、多機能電話機ＩＦパッケージ１０５を介して収集する。収集されたセンサー情報は処理装置１０７へ転送されて、そこで処理される。処理装置１０７によるセンサー情報の処理結果に基づいて、中央制御装置１０６は、ナースコールＩＦパッケージ１０１、インターホンＩＦパッケージ１０２、構内ＰＨＳ親機ＩＦパッケージ１０３、多機能電話機ＩＦパッケージ１０４、多機能電話機ＩＦパッケージ１０５に対して呼出処理又はメッセージ送出の処理を行う。
【００２３】
より具体的に言えば、処理装置１０７の処理部は、アプリケーションプログラムを実行して、センサー情報管理テーブル及びセンサーコール条件管理テーブルを参照しながら、センサー情報の解析やセンサー情報の統計を行う。中央制御装置１０６は、処理装置１０７によるセンサー情報の処理結果とセンサーコール条件管理テーブルで管理している情報に基づいて、ナースコールＩＦパッケージ１０１、インターホンＩＦパッケージ１０２、構内ＰＨＳ親機ＩＦパッケージ１０３、多機能電話機ＩＦパッケージ１０４を特定して発報やメッセージ送出等の処理を行う。また、多機能電話機ＩＦパッケージ１０５から電話機用インターフェースを介して、センサー受信機１２０に対して、表示素子７０７の表示のための制御情報を送信する。
【００２４】
中央制御装置１０６は、ＬＡＮを介して外部のサーバ１５１あるいはクラウド１５２に接続することができる。例えば、処理装置１０７はＬＡＮを介してサーバ１５１あるいはクラウド１５２に接続され、処理装置１０７が行う上記解析等の処理の一部又は全部をサーバ１５１やクラウド１５２で行なうこともできる。なお、上記のように、処理装置１０７が処理を行う場合、サーバ１５１が有する入力器や表示器（不図示）を用いて、処理装置１０７が持つ管理テーブルの内容を書き替えや、種々の指示を入力することができる。
【００２５】
次に、電話交換機１００における通信方式について説明する。
通信方式に関しては、多機能電話機１１６、１１８のインターフェースとして最低限必要な機能として、通常の発着呼、ボタン制御や、ＬＣＤ制御、電話帳制御等のデータの送受信が可能なインターフェースと、通話を行うための音声通信のインターフェースを使用する。
【００２６】
［多機能電話機ＩＦパッケージ１０４と多機能電話機１１６間の通信方式］
図２を参照して、多機能電話機ＩＦパッケージ１０４と多機能電話機１１６との間の通信方式について説明する。
【００２７】
通常は、多機能電話機１１６は、多機能電話機インターフェースとしてＢチャネルを使用して、音声情報（音声データ（ＰＣＭ：Pulse Code Modulation））を多機能電話機インターフェースパッケージ１０４に送信する。また、多機能電話機１１６は、多機能電話機インターフェースとしてＤチャネルを使用して、制御情報（ＬＣＤ等の制御データ）を多機能電話機インターフェースパッケージ１０４に送信する。
【００２８】
多機能電話機ＩＦパッケージ１０４と多機能電話機１１６との間の通信方式は、一般的なピンポン伝送方式である。実装線路はＡＭＩ（Alternate Mark Inversion）符号方式を使用している。ＡＭＩ符号方式とは、ディジタル通信に使われる符号化方式の一つで、“１”が発生するごとに正および負の極性符号を交互に送出する方式である。
【００２９】
ここで、ピンポン伝送方式とは、以下のような方式である。
一般的に、ＩＳＤＮ（Integrated Service Digital Network）では６４ｋｂｐｓのＢチャネル２本と１６ｋｂｐｓのＤチャネル１本がサポートされているが、これに制御用信号を加えると計１６０ｋｂｐｓの伝送速度が必要となる。電話局と加入者宅間では全二重で双方向に１６０ｋｂｐｓのデータ伝送を行なわなければならないため、１対の銅線上でピンポン伝送と呼ばれる方式を使って通信している。この方式では、送信ビットレートを約２倍の３２０ｋｂｐｓに高速化（時間軸圧縮）して半分の時間で送信できるようし、電話局と加入者宅から交互にデータを送っている。正確には、時分割制御伝送方式（ＴＣＭ：Time Compress Multiplexing）という。
【００３０】
図２において、Ｆはスタートビット（フレーム同期）であり、常時“００”である。Ｂ１は、Ｂ１チャネル（６４ｋｂｐｓ）であり、Ｂ１チャネルを介して音声データ（ＰＣＭ）が伝送される。Ｂ２は、Ｂ２チャネル（６４ｋｂｐｓ）であり、Ｂ２チャネルを介して音声データ（ＰＣＭ）が伝送される。ＭＦは、常時“０”である。Ｄは、データ（１６ｋｂｐｓ）あり、例えば、ＬＣＤ等の制御データである。Ｐは、パリティ（偶数）である。
【００３１】
図２に示すような形式で、音声データは、Ｂチャネルを介して２チャネル分（６４ｋｂｐｓ×２）の送受信を行っている。また、ＬＣＤ等の制御データは、１６ｋｂｐｓの送受信を行っている。
【００３２】
尚、多機能電話機ＩＦパッケージ１０５と多機能電話機１１８との間の通信方式は、多機能電話機１１８がマルチ接続可能な構成（マルチ設定Ａ、マルチ設定Ｂ）を有しているので、通話（音声情報の送受信）に関しては、多機能電話機ＩＦパッケージ１０４と多機能電話機１１６との間の通信方式と同様である。一方、多機能電話機１１８がセンサー情報の受信を行う設定となっている場合には、以下に説明するセンサー受信機１２０と多機能電話機ＩＦパッケージ１０５の通信方式と同様の通信方式が用いられる。
【００３３】
［センサー受信機１２０と多機能電話機ＩＦパッケージ１０５の通信方式］
図３を参照して、センサー受信機１２０と多機能電話機ＩＦパッケージ１０５との間の通信方式について説明する。
センサー受信機１２０と多機能電話機ＩＦパッケージ１０５の間は、多機能電話機ＩＦパッケージ１０５のデータ送受信方式を用いて、多機能電話機１１６の音声情報の代わりにセンサー情報を使用してデータの送受信を行う。
【００３４】
センサー受信機１２０は、多機能電話機用インターフェースとしてＢチャネルを使用して、センサー１３から常時出力されるセンサー情報を多機能電話機ＩＦパッケージ１０５に送信する。また、センサー受信機１２０は、多機能電話機インターフェースとしてＤチャネルを使用して、センサー１３から間欠的に出力されるセンサー情報を多機能電話機ＩＦパッケージ１０５に送信する。
【００３５】
具体的には、Ｂチャネルを、音声情報の代わりに比較的帯域を必要としリアルタイム性が要求されるセンサー情報（常時発生するセンサー情報）の送受信に使用する。そして、Ｄチャネルを、データ送受信にリアルタイム性がそれほど要求されずデータ量も少ないセンサー情報（間欠的な発生するセンサー情報）の送受信に使用する。
【００３６】
図３において、Ｆはスタートビット（フレーム同期）であり、常時“００”である。Ｂ１は、Ｂ１チャネル（６４ｋｂｐｓ）であり、Ｂ１チャネルを介してセンサーデータ（Ｂｃｈ用）が伝送される。Ｂ２は、Ｂ２チャネル（６４ｋｂｐｓ）であり、Ｂ２チャネルを介してセンサーデータ（Ｂｃｈ用）が伝送される。ＭＦは、常時“０”である。Ｄは、Ｄｃｈ用のセンサーデータ（１６ｋｂｐｓ）である。Ｐは、パリティ（偶数）である。
【００３７】
図３に示すような形式で、センサー１３から常時出力されるセンサーデータは、Ｂチャネルを介して２チャネル分（６４ｋｂｐｓ×２）の送受信を行う。また、センサー１３から間欠的に出力されるセンサーデータは、Ｄチャネルを介して１６ｋｂｐｓの送受信を行う。
【００３８】
尚、センサー受信機１２１が接続されている多機能電話機１１８に関しては、センサー情報の受信を行う設定となっている場合には、センサー受信機１２０と多機能電話機ＩＦパッケージ１０５の通信方式と同様の通信方式が用いられる。具体的には、多機能電話機１１８は、多機能電話機用のインターフェースとしてＢチャネルを使用して、センサー受信機１２１を介して常時出力されるセンサー情報を多機能電話機ＩＦパッケージ１０５に送信する。また、多機能電話機１１８は、多機能電話機インターフェースとしてＤチャネルを使用して、センサー受信機１２１を介して間欠的に出力されるセンサー情報を多機能電話機ＩＦパッケージ１０５に送信する。
【００３９】
ここで、図４にセンサー用のＤチャネル（Ｄｃｈ）の内容例を示す。
図４に示すように、センサー用Ｄｃｈの内容は、センサー種別、センサーＩＤ（識別番号）、受信機ＩＤ（識別番号）、優先種別、モード、メッセージＮｏ、センサーデータである。
【００４０】
図５にセンサー用のＢチャネル（Ｂｃｈ）の内容例を示す。
図５に示すように、センサー用Ｂｃｈの内容は、スタートフレーム、センサー種別、センサーＩＤ（識別番号）、受信機ＩＤ（識別番号）、優先種別、モード、ＢＣＣ、エンドフレーム、センサーデータ（映像、音声、温度等）である。
【００４１】
［多機能電話機ＩＦパッケージ１０４、１０５と中央制御装置１０６間の通信方式］
多機能電話機ＩＦパッケージ１０４と中央制御装置１０６の間の通信方式は、電話交換機１００内の通信方式であり、決まった帯域を遅延なく確実に通信する必要がある。このため、決まった帯域が確実に確保される方式が必要である。
【００４２】
また、制御系の通信は不定期であり通信量も変化するため、リクエスト、アンサー、パケット送信に近い通信方式が採用される。図６に示すように、Ｄチャネルのリンクアクセスのためのフレーム送受信をソフト制御による手順で行う。
【００４３】
図６に示すように、多機能電話機ＩＦパッケージ１０４（Ｌ／Ｔ＃０）から中央制御装置１０６へリクエスト（ＲＥＱ）が送られる。中央制御装置１０６はＡＮＳ＝１を多機能電話機ＩＦパッケージ１０４に送る。この際、中央制御装置１０６はバッファ空きありでＡＣＫを返送する。
【００４４】
次に、多機能電話機ＩＦパッケージ１０４は、Ｌ／Ｔ制御パケット（ＳＤ）を中央制御装置１０６に送信する。中央制御装置１０６は、正常に受信して受信処理が完了した後に、Ｌ／Ｔ制御パケットＡＣＫ（ＳＤＡＣＫ）、ＡＮＳ＝０を多機能電話機ＩＦパッケージ１０４に送る。
【００４５】
多機能電話機ＩＦパッケージ１０５（Ｌ／Ｔ＃１）は、リクエスト（ＲＥＱ）を中央制御装置１０６に送信する。中央制御装置１０６はバッファ空なしにつきＡＣＫを返送しない。中央制御装置１０６は、ＡＮＳ＝１を多機能電話機ＩＦパッケージ１０５に送る。多機能電話機ＩＦパッケージ１０５は、中央制御装置１０６にＬ／Ｔ制御パケット（ＳＤ）を送信する。中央制御装置１０６は、Ｌ／Ｔ制御パケット（ＳＤ）を正常に受信して受信処理が完了した後に、Ｌ／Ｔ制御パケットＡＣＫ（ＳＤＡＣＫ）、ＡＮＳ＝０を多機能電話機ＩＦパッケージ１０５に送る。
【００４６】
［センサー受信機１２の構成］
次に、図７を参照して、センサー受信機１２のブロック構成について説明する。
マイクロプロセッサ７００は、ＵＡＲＴ（Universal Asynchronous Receiver Transmitter）、ＵＳＢ、ＬＡＮ等のセンサー用インターフェース（ＩＦ）、Ｉ／Ｏ、シリアルＩＦ及びバスを有する。センサー用ＩＦには、センサー用ＩＦモジュール７０１が接続されている。ここで、センサー用ＩＦは汎用インターフェースであり、有線ならばＬＡＮ、ＵＳＢ等が使用され、無線ならばＢｌｕｅｔｏｏｔｈ（登録商標）等が使用される。センサー用ＩＦモジュール７０１にはセンサー１３が接続される。マイクロプロセッサ７００は処理ユニットであり、センサー用ＩＦ７０１や他のインターフェースを介して受信するセンサー情報や中央制御装置１０６から送信される制御情報の送受信制御、及びＣＣＵ１０６から送信される制御情報に基づいて表示素子７０７（表示部）を表示制御（発光制御）する。
【００４７】
Ｉ／Ｏには、接点駆動回路７０２が接続され、接点駆動回路７０２には接点用コネクタ７０３が接続されて接点出力となる。また、Ｉ／Ｏには、レベル（ＬＶＬ）変換回路７０４が接続され、ＬＶＬ変換回路７０４には接点用コネクタ７０５が接続されて接点入力となる。ここで、接点用コネクタ７０５は例えば居室のドアの開閉を検知するドアセンサのセンサー情報を受け取る端子であり、接点用コネクタ７０３は居室のドアを自動ロックするための制御信号を送出する端子である。
【００４８】
Ｉ／Ｏにはまた、マルチ接続切り替えスィッチ（ＳＷ）７０６や、センサーで検知した被介護者のおむつの排泄状態や居室の温湿度等の状態を表示するための表示素子７０７が接続されている。ここで、表示素子７０７は複数色表示可能なＬＥＤであり、処理装置１０７でセンサー情報を処理した結果、制御情報に応じて予め定めた色でＬＥＤを発光させる。介護スタッフは、その発光した色を目視することで、被介護者のおむつの排泄の状態や、居室内の温湿度による危険度を認識することができる。換言すれば、表示部は介護施設におけるセンサー情報の「見える化」を実現している。（これについては詳しく後述する。）
バスには、プログラム格納エリア７０８とワークエリア７０９が接続されている。
【００４９】
シリアルインターフェース（ＩＦ）は、Ｂチャネル（Ｂｃｈ：６４Ｋ）とＤチャネル（Ｄｃｈ：１６Ｋ）を介してピンポン送受信インターフェース（ＩＦ）回路７１０に接続されている。ピンポン送受信ＩＦ回路７１０は、トランス７１１、ノイズフィルタ７１２及びＲＪ１１モジュラーコネクタ７１３に接続されている。ＲＪ１１モジュラーコネクタ７１３は、多機能電話機ＩＦパッケージ（ＤＬＩＮ）１０５に接続されている。また、ノイズフィルタ７１２には、ＲＪ１１モジュラーコネクタ７１４が接続されている。ＲＪ１１モジュラーコネクタ７１４は、多機能電話機１１８にマルチ接続されている。例えば、マルチ設定Ａとマルチ設定Ｂを有する多機能電話機のマルチ設定Ｂに接続されている（図１参照）。
【００５０】
このように、センサー受信機１２は、多機能電話機インターフェースパッケージ１０５の多機能電話機インターフェースと同様のインターフェースを持つ。具体的には、シリアルインターフェース（ＩＦ）とピンポン送受信インターフェース（ＩＦ）回路７１０との間を、Ｂチャネル（Ｂｃｈ：６４Ｋｂｐｓ）とＤチャネル（Ｄｃｈ：１６Ｋｂｐｓ）を介して接続することにより、多機能電話機インターフェース７５０（図７の点線で囲った部分）を構成する。この際、センサー受信機１２１、１２０と多機能電話機ＩＦパッケージ１０５の間では、多機能電話機１１６の音声情報の代わりにセンサー情報の送受信が行なわれる。
【００５１】
ここで、Ｂチャネル（Ｂｃｈ）は、音声情報の代わりに比較的帯域を必要としリアルタイム性が要求されるセンサー情報（常時発生するセンサー情報）の送受信に使用される。一方、Ｄチャネル（Ｄｃｈ）は、データ送受信にリアルタイム性がそれほど要求されず、データ量も少ないセンサー情報（間欠的な発生するセンサー情報）の送受信に使用される。
なお、本実施例ではセンサー受信機１２と称しているが、センサー情報や制御情報の送受信を行うので送受信機と呼んでもよい。
【００５２】
図８に、センサー受信機１２の外観を示す。
図７に示す、センサー受信機のマイクロプロセッサ７００や表示素子７０７等の構成部品は、図８のケースに収納される。すなわち、センサー受信機１２のケースは、ポロカーボネート（ＰＣ）製ドーム状の上ケース１２１と、センサー受信機の構成部品を搭載する底蓋１２２と、底蓋１２２に一体的に形成された３つの脚１２３と、底蓋凸部１２４を備えて構成される。上ケース１２１はポリカーボネートのような透明又は半透明のプラスチック部材なので、内部にある表示素子７０７が種々の色に発光すると、外部から目視にてその表示色を認識することができる。
【００５３】
底蓋１２２に３つの脚１２３が設けられているので、センサー受信機１２のケースを、被介護者の居室等のテーブル上に置くことができる。また、底蓋凸部１２４に穴や金具等の引掛け部（不図示）を設けることにより、このケースを被介護者の居室やその外壁に設けたフック金具等に係止することができる。センサー受信機１２を居室やその外壁に設置しておけば、介護スタッフが、センサー受信機１２の表示素子７０７が表示している色を見るだけで、居室にいる被介護者のおむつの状態や居室の温度状態を簡単に認識することができる。これにより、介護施設におけるセンサー情報の「見える化」が実現できる。
【００５４】
［管理テーブルの構成］
次に、図１０乃至図１１を参照して、種々の管理テーブルの構成について説明する。図１０（Ａ）は、センサー情報管理テーブルを示し、図１０（Ｂ）は受信機管理テーブルを示す。図１１は、センサーコール条件管理テーブルを示す。これらの管理テーブルは、処理装置１０７が有する記憶部に保持される。
【００５５】
図１０（Ａ）に示す、センサー情報管理テーブルは、センサーを識別するセンサーＩＤ、センサーの種別を示すセンサー種別、センサーの使用者（被介護者）を示す使用者ＩＤ、センサーコールの条件を示す排泄パターンや温度パターン等のパターンを登録する。センサーコール条件を示す上記パターンにより、センサーコール条件管理テーブルの内容が索引される。なお、ここで、温度センサーは使用者に直接装着されず、使用者の居る居室に設置されるので、その居室を識別する場所ＩＤを「使用者」の欄に登録してもよい。
【００５６】
図１０（Ｂ）に示す、受信機管理テーブルは、センサー受信機１２が受信対象とするセンサーＩＤを管理するものであり、センサー受信機を識別する受信機ＩＤ、センサー受信機の設置場所を示す受信機名称、受信対象のセンサーＩＤを登録する。被介護者に装着されるセンサーや、居室に設置されるセンサーが増減すると、それに応じて受信対象のセンサーＩＤの登録が増減する。
【００５７】
図１１に示す、センサーコール条件管理テーブルは、センサーが検知した情報（センサー情報）の応じた処置、すなわち発報等の条件（パターン）を規定するテーブルである。図１１（Ａ）は、おむつセンサーが検知するセンサー情報である排泄パターンに応じた発報条件を示し、図１１（Ｂ）は温度センサーが検知するセンサー情報である温度パターンに応じた発報条件を示す。
【００５８】
図１１（Ａ）及び（Ｂ）に示す、センサーコール条件管理テーブルは、何れも、パターンを識別するパターンＩＤ、発報等の処置を行う時間帯、発報条件、発報の時間を示す通知時間、発報先の電話機の内線番号、受信機１２に設けた表示素子７０７の表示する表示色、内線電話機のメロディーの種別を示す着信音、等を登録する。表示素子７０７は通知時間だけ指定された色を表示する。図１１（Ａ）の例において、排泄パターン１と２で、発報条件が異なっている。これは、被介護者に応じて尿センサーが検知する排尿の量が異なるため、尿センサーが検知する排尿量に応じて発報条件を変えるためである。例えば、最初の排尿の時は排尿量も少なくおむつの交換が不要なため、発報の通知時間が１分と短いが、排尿量が規定量以上になると、おむつ交換が必要なため、発報の通知時間が５分と長くなり、表示素子７０７の色も赤色に変わる。介護スタッフは、自ら所持する電話機が着信したメロディーの変化、及び又は表示素子７０７の表示色の変化を感知して、おむつ交換の処置をする。
【００５９】
図１１（Ｂ）に示す、温度パターンの例では、温湿度センサーが検知する居室の温度が、２０〜２８度Ｃの場合は発報しないが、その範囲以上又は以下になると発報する。居室の温湿度管理は被介護者の健康状態（例えば風邪等の発生）に影響することが大であるため、温度の些細な変化に応じて発報条件を異ならせている。発報の通知時間、着信音、表示部の表示色は、排泄パターンの場合と同様である。
【００６０】
ここで、排泄パターンや温度パターンに応じた発報条件は、被介護者の過去の排尿量や、風邪等の発生する温湿度を考慮して設定することができる。この設定は、例えば管理者が、サーバ１５１の表示器及び入力器を操作することで行われる。
なお、図１１の例には、大便の排泄量による排泄パターンや湿度による湿度パターンが示されていないが、基本的には、図１１に示したセンサーコール条件管理テーブルの例に従って規定すればよい。
【００６１】
［センサー情報の処理動作(例１)］
次に、図９のフローチャートを参照して、センサー情報の処理動作について説明する。
図９に示す例は、センサー情報を電話機用インターフェースのＤｃｈを介して送信する例である。Ｄｃｈは、データ送受信にリアルタイム性がそれほど要求されず、データ量も少ないセンサー情報の送受信に使用される。ここでは、リアルタイム性がそれほど要求されずデータ量も少ないセンサーとして、被介護者に装着されたおむつセンサーと、体温センサーを例にとって説明する。
【００６２】
まず、多機能電話機ＩＦパッケージ１０５からセンサー情報を受信する（Ｓ９００）。次に、Ｄｃｈ対応のセンサー１３からのメッセージかを判断する（Ｓ９０１）。この判断の結果、Ｄｃｈ対応のセンサー１３からのメッセージならば、おむつセンサーかを判断する（Ｓ９０２）。
この判断の結果、おむつセンサーならば、そのセンサーＩＤがセンサー情報管理テーブルに登録済みかを判断する（Ｓ９０３）。
【００６３】
Ｓ９０２の判断において、おむつセンサーでなければ、体温センサーかを判断する（Ｓ９０４）。その判断の結果、体温センサーのならば、体温センサーの処理シーケンスを行う（Ｓ９０５）。一方、体温センサーではないと判断された場合には、該当センサー無しとしてエラー処理を行う（Ｓ９０６）。なお、体温センサーからのセンサー情報を収集の対象としてない場合には、Ｓ９０４及びＳ９０５の処理は不要である。
【００６４】
上記Ｓ９０１で、Ｄｃｈ対応のセンサーからのメッセージではないと判断された場合には、センサー以外のパッケージの制御、例えば多機能電話ＩＦパッケージ１０４を用いた音声通話等を行う（Ｓ９０７）。
【００６５】
次に、Ｓ９０３で、センサー情報管理テーブルにセンサーＩＤ登録済みと判断された場合には、おむつセンサー１による小排泄検出かを判断する（Ｓ９０８）。その結果、小排泄検出と判断した場合には、小排泄検出処理を行う。具体的には、センサーコール条件管理テーブルに登録された内線番号のＰＨＳや多機能電話機（ＭＦＴ）へ発報、例えば所定の着信音（例えばメロディーＡ）で発報する（Ｓ９０８１）。更に、センサー受信機１２の表示素子７０７を、センサーコール条件管理テーブルで指定された色に発光する（Ｓ９０８２）。なお、図１３に示すように、センサーコール条件管理テーブルにメッセージが登録されていれば、発報と同時に、ＰＨＳ等へメッセージ例えば「（利用者Ｘさん）排泄３００ｃｃ以上です」というメッセージを送信することもできる。
【００６６】
次に、Ｓ９０８で小排泄検出ではないと判断した場合には、大排泄検出かを判断する（Ｓ９１０）。その結果、大排泄検出と判断した場合には、大排泄検出処理を行う（Ｓ９１１）。具体的には、センサーコール条件管理テーブルに登録された内線番号のＰＨＳや多機能電話機（ＭＦＴ）へ発報、例えば所定のメロディーＢで発報する（Ｓ９１０１）。上記と同様にして、表示素子７０７を、センサーコール条件管理テーブルで指定された色に発光する（Ｓ９１０２）。なお、センサーコール条件管理テーブルにメッセージが登録されていれば、発報と同時に、ＰＨＳ等へ大排泄検出のメッセージを送信することもできる。
なお、おむつセンサーとして大便排泄を検知するセンサーからのセンサー情報を収集の対象としてない場合には、Ｓ９１０、Ｓ９１０１、Ｓ９１０２の処理は不要である。
【００６７】
次に、Ｓ９１０で大排泄検出ではない判断した場合には、その他の検出処理を行う（Ｓ９１５）。具体的には、ＰＨＳや多機能電話機（ＭＦＴ）等への呼出処理やメッセージ送出処理を行う。
【００６８】
次に、Ｓ９０３でセンサーＩＤ登録済みでないと判断した場合には、自動登録種別かどうかを判断する（Ｓ９１３）。Ｓ９１３で自動登録種別と判断した場合には、センサーＩＤ登録処理を行う（Ｓ９１４）。一方、Ｓ９１３で自動登録種別ではないと判断した場合には、センサーＩＤの未登録エラー処理を行う（Ｓ９１５）。
【００６９】
なお、おむつセンサーや体温センサーで検知されたセンサー情報（測定データ）は、処理装置１０７の記憶部に一時記憶され、その後に処理装置１０７又はサーバ１５１において統計及び解析処理に用いられる。
【００７０】
［センサー情報の処理動作(例２)］
次に、図１２のフローチャートを参照して、センサー情報の処理動作について説明する。
図１２に示す例は、センサー情報を電話機用インターフェースのＢｃｈを介して送信する例である。Ｂｃｈは音声データの代わりに比較的帯域を必要とし、リアルタイム性が要求されるセンサー情報の送受信に使用する。リアルタイム性が要求されるセンサーとして、温湿度センサーを例にとって説明する。
【００７１】
まず、多機能電話機ＩＦパッケージ１０５からセンサー情報を受信する（Ｓ１２００）。次に、Ｂｃｈ対応のセンサー１３からのメッセージかを判断する（Ｓ１２０１）。この判断の結果、Ｂｃｈ対応のセンサー１３からのメッセージならば、温度センサーかを判断する（Ｓ１２０２）。この判断の結果、温度センサーならば、そのセンサーＩＤがセンサー情報管理テーブルに登録済みかを判断する（Ｓ１２１１）。
【００７２】
Ｓ１２０２の判断において、温度センサーでなければ、湿度センサーかを判断する（Ｓ１２０３）。その判断の結果、湿度センサーならば、湿度センサーの処理シーケンスを行う（Ｓ１２０６）。一方、湿度センサーではないと判断された場合には、該当センサー無しとしてエラー処理を行う（Ｓ１２０４）。なお、湿度センサーからのセンサー情報を収集の対象としてない場合には、Ｓ１２０３及びＳ１２０６の処理は不要である。
【００７３】
上記Ｓ１２０１で、Ｂｃｈ対応のセンサーからのメッセージではないと判断された場合には、センサー以外のパッケージの制御、例えば多機能電話ＩＦパッケージ１０４を用いた音声通話等を行う（Ｓ１２０５）。
【００７４】
次に、Ｓ１２１１で、センサー情報管理テーブルにセンサーＩＤ登録済みと判断された場合には、閾値検出有かを判断する（Ｓ１２２１）。その結果、閾値検出有りと判断した場合（Ｓ１２２１：Ｙ）には、上限温度（センサーコール条件管理テーブルに登録された上限温度、例えば３０℃）を検出したかを判断する（Ｓ１２３１）。その結果、上限温度検出と判断した場合（Ｓ１２３１：Ｙ）には、上限温度検出処理を行う（Ｓ１２４１）。具体的には、センサーコール条件管理テーブルに登録された内線番号のＰＨＳや多機能電話機（ＭＦＴ）へ発報、例えば所定の着信音（例えばメロディーＢ）で発報する。更に、センサー受信機１２の表示素子７０７を、センサーコール条件管理テーブルで指定された色（例えば赤色）に発光する（Ｓ１２４１）。なお、図１３に示すように、センサーコール条件管理テーブルにメッセージが登録されていれば、発報と同時に、ＰＨＳ等へメッセージ例えば「暑さ指数注意」というメッセージを送信することもできる。
【００７５】
次に、上限温度検出ではないと判断した場合には、下限温度検出かを判断する（Ｓ１２３２）。その結果、下限温度検出と判断した場合（Ｓ１２３２：Ｙ）には、下限検出処理を行う（Ｓ１２４２）。具体的には、上記と同様にして、センサーコール条件管理テーブルに登録された内線番号のＰＨＳや多機能電話機（ＭＦＴ）へ発報し、更に指定された色で表示素子７０７を発光する。
【００７６】
次に、下限温度検出でないと判断した場合（Ｓ１２３２：Ｎ）、及び上記処理Ｓ１２４１，Ｓ１２４２の処理の後に、センサー情報に含まれる温度測定データは、処理装置１０７内の記憶部に記録される（Ｓ１２３３）。この温度測定データは、後に処理装置１０７又はサーバ１５１において統計及び解析処理に用いられる。
【００７７】
次に、Ｓ１２２１で閾値検出有りではないと判断した場合には、上記と同様に、温度測定データは処理装置１０７内の記憶部に記録される（Ｓ１２２２）。
【００７８】
次に、Ｓ１２１１でセンサーＩＤ登録済みでないと判断した場合には、自動登録種別かどうかを判断する（Ｓ１２１２）。その結果、自動登録種別と判断した場合には、センサー情報管理テーブルにセンサーＩＤの登録処理を行う（Ｓ１２１４）。一方、自動登録種別ではないと判断した場合には、センサーＩＤの未登録エラー処理を行う（Ｓ１２１３）。例えば、サーバ１５１の表示器に、未登録のセンサーＩＤが発見された旨を表示する。
【００７９】
以上、例１および例２によりセンサー情報の処理動作について説明した。上記の説明では、例１と例２に分けて説明したが、実際には、センサー受信機１２ないし処理装置１０７で取得されるセンサー情報は混在する。そのためには、図９及び図１２に示す処理動作を一体化したフローチャートの処理動作となることが理解されるであろう。
【００８０】
上記のように、本実施例では、電話機用インターフェースを介してセンサー受信機が電話交換機に接続される。この場合、電話機用インターフェースに接続される多機能電話機インターフェースパッケージは、データの内容を多機能電話機の内容（音声情報）ではなくセンサー情報の送受信の内容に変換する。また、センサーの情報は電話交換機内の処理装置で処理されるため、電話交換機内の通信方式を用いて、多機能電話機インターフェースパッケージと中央制御装置との間でセンサー情報を送受信する。これにより、実施例によれば、既存の電話交換機のハードウェアと配線を利用することにより工事設備費の低減を図ることが可能になる。さらに、電話交換機の電話機用インターフェースを用いて送受信機を接続し、更に送受信機には汎用インターフェースを用いてセンサーを接続して、センサー情報を収集することができる。
【００８１】
［センサーコール条件管理テーブルの他の実施例］
図１３は他の実施例によるセンサーコール条件管理テーブルの構成を示す。
図１１に示した例に比べて、他の例によるセンサーコール条件管理テーブルは、センサー情報を用いた処理装置１０７による処理結果（判定内容）が多岐にわたり、かつ１２段階に優先順位付けされている。更に、通知内容（通報）として送信メッセージが具体的な文言で規定され、センサー受信機１２の表示素子７０７の表示色も５色と増えている。優先度において、温湿度センサーのセンサー情報による判定の優先度をおむつセンサーよりも高くした理由は、居室の温湿度の状態が被介護者の健康状態（風邪を引く等）に最も影響するので、その判定に応じて温湿度の調整を素早く行うためである。また、表示素子７０７の表示色も優先度の高いものについては赤色、黄色の順で表示して、介護スタッフの注意を促すように配慮している。
【００８２】
［他の代案、変形例］
本発明は上記実施例に限定されずに、種々変形して実施し得る。
例えば、上記実施例では、処理装置１０７が種々の管理テーブルを有して、センサー情報の処理を行う、或いはそれらの処理の一部又は全部をサーバ１５１やクラウド１５２で行うことができる、とした。変形例では、処理装置が行う処理の一部又は全部を、ＣＣＵ１０６又はＰＢＸ１００が有する他のプロセッサに行わせてもよい。
【００８３】
また、他の適用例として、上記実施例では、センサー情報の処理を介護システムに適用したものであるが、介護システム以外に、センサー情報を収集して処理するデータ処理システムや制御システムにも適用可能である。
【符号の説明】
【００８４】
１００：電話交換機（ＰＢＸ）
１０１：ナースコールＩＦパッケージ    １０２：インターホンＩＦパッケージ
１０３：構内ＰＨＳ親機ＩＦパッケージ  １０４：多機能電話機ＩＦパッケージ
１０５：多機能電話機ＩＦパッケージ    １０６：ＣＣＵ
１０７：処理装置                      １０８：ナースコールシステム
１０９：サーバ                        １１０：マイク／スピーカ付き握りボタン
１１１：スタッフコールシステム        １１２：埋め込み型インターホン
１１６、１１８：多機能電話機          １２０、１２１、１２：センサー受信機
１３：センサー                        １５１：サーバ    １５１：クラウド
７００：マイクロプロセッサ            ７０７：表示素子
【図１】
2020064462.tif 000003
【図２】
2020064462.tif 000004
【図３】
2020064462.tif 000005
【図４】
2020064462.tif 000006
【図５】
2020064462.tif 000007
【図６】
2020064462.tif 000008
【図７】
2020064462.tif 000009
【図８】
2020064462.tif 000010
【図９】
2020064462.tif 000011
【図１０】
2020064462.tif 000012
【図１１】
2020064462.tif 000013
【図１２】
2020064462.tif 000014
【図１３】
2020064462.tif 000015
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
被介護者に装着されたセンサー及び又は被介護者の居室に設置されたセンサーと、 
前記センサーが検知するセンサー情報を受信し、該センサー情報を、電話機用インターフェースを用いて送信する送受信機と、 
前記センサーが検知するセンサー情報の状態に応じて通報の条件を管理する管理テーブルと、 
前記管理テーブルを参照して、前記センサーが検知するセンサー情報に応じて介護者への通報を指示する処理装置と、を有し、 
前記電話機用インターフェースは前記通報を送信することを特徴とする介護システム。 
【請求項２】
被介護者に装着されたセンサー及び又は被介護者の居室に設置されたセンサーと、 
前記センサーが検知するセンサー情報を受信し、該センサー情報を、電話機用インターフェースを用いて送信する送受信機と、 
前記センサーが検知するセンサー情報の状態に応じて通報の条件を管理する管理テーブルと、 
前記管理テーブルを参照して、前記センサーが検知するセンサー情報に応じて介護者への通報を指示する処理装置と、を有し、 
前記送受信機は更に、送受信の制御を行う処理ユニットと、前記処理ユニットの制御により、複数の色を表示することができる表示部を有し、 
前記処理ユニットは、前記処理装置から電話機用インターフェースを用いて送信される、前記通報に応じて予め定められた色を表示するように前記表示部を制御する 
ことを特徴とする介護システム。 
【請求項３】
電話機は、前記電話機用インターフェースの所定のチャネルを使用して、音声情報を電話機インターフェースパッケージへ送信し、 
前記送受信機は、前記電話機用インターフェースの所定のチャネルを使用して、前記センサー情報を前記電話機インターフェースパッケージへ送信する 
ことを特徴とする請求項１に記載の介護システム。
【請求項４】
前記送受信機は、前記センサー情報を取得する汎用インターフェースと、取得した前記センサー情報を送信する前記電話機用インターフェースとを有し、 
前記送受信機は、前記電話機用インターフェースが持つ所定のチャネルを使用して送信することを特徴とする請求項２に記載の介護システム。 
【請求項５】
電話機が接続される前記電話機用インターフェースを持つ電話交換機は制御装置を有し、 
前記制御装置には、ナースコールシステムが接続されるナースコールインターフェースパッケージと、インターホンが接続されるインターホンインターフェースパッケージと、ＰＨＳが接続される構内ＰＨＳ親機インターフェースパッケージと、の少なくとも１つが接続され、 
前記制御装置は、前記少なくとも１つのインターフェースパッケージに対して、呼出処理又はメッセージ送出の処理を行う 
ことを特徴とする請求項１又は４に記載の介護システム。 
【請求項６】
前記電話機用インターフェースは、電話交換機が有する多機能電話機用インターフェースであり、
前記電話交換機は制御装置を有していて、前記多機能電話機用インターフェースを介して電話機が接続され、 
前記制御装置は、前記所定のチャネルによる前記送受信機からの情報かを判断し、
前記所定のチャネルによる前記送受信機からの情報でないと判断した場合は、前記多機能電話機インターフェースを用いて前記電話機に対する音声通話を行う 
ことを特徴とする請求項４に記載の介護システム。
【請求項７】
前記電話機インターフェースパッケージは、マルチ接続可能な多機能電話機を接続することができる多機能電話機インターフェースパッケージであり、 
前記多機能電話機の設定には前記送受信機が接続される、 
ことを特徴とする請求項３に記載の介護システム。 
【請求項８】
前記所定のチャネルは、ＢチャネルとＤチャネルとを有し 
前記電話機は、
前記Ｂチャネルを使用して前記音声情報を前記電話機インターフェースパッケージに送信し、前記Ｄチャネルを使用して制御情報を前記電話機インターフェースパッケージに送信し、
前記送受信機は、
前記Ｂチャネルを使用して前記センサーから常時出力される前記センサー情報を前記電話機インターフェースパッケージに送信し、前記Ｄチャネルを使用して前記センサーから間欠的に出力される前記センサー情報を前記電話機インターフェースパッケージに送信することを特徴とする請求項３に記載の介護システム。
【請求項９】
電話機用インターフェースを用いて、センサー情報を収集して処理するデータ処理方法であって、
送受信機が、センサーが検知するセンサー情報を、汎用インターフェースを用いて受信するステップと、
前記送受信機が、前記センサー情報を、前記電話機用インターフェースを用いて送信するステップと、
処理装置が、前記センサー情報の状態に応じて通報の条件を管理するステップと、
前記処理装置が、前記電話機用インターフェースを介して受信される前記センサー情報を前記通報の条件に基づいて判定処理して、通報を指示するステップと、
前記電話機用インターフェースが、前記通報を送信すること
を特徴とするデータ処理方法。
【請求項１０】
前記送受信機は表示部を有し、
前記表示部は、処理装置から送信される指示に応じて予め定められた色を表示する 
ことを特徴とする請求項９に記載のデータ処理方法。 
【請求項１１】
電話機が、前記電話機用インターフェースを持つ電話交換機に接続され、
前記電話機は、前記電話機用インターフェースの所定のチャネルを使用して、音声情報を電話機インターフェースパッケージへ送信し、
前記送受信機は、前記電話機用インターフェースの所定のチャネルを使用して、前記センサー情報を前記電話機インターフェースパッケージへ送信する
ことを特徴とする請求項９に記載のデータ処理方法。 
【請求項１２】
前記センサーは複数のセンサーを含み、
前記送受信機は、
前記複数のセンサーのうちの第１のセンサーから取得する第１のセンサー情報を前記電話機用インターフェースが持つ第１のチャネルを使用して前記電話機インターフェースパッケージへ送信し、
前記複数のセンサーのうちの第２のセンサーから取得する第２のセンサー情報を前記電話機用インターフェースが持つ第２のチャネルを使用して前記電話機インターフェースパッケージへ送信する、
ことを特徴とする請求項１１に記載のデータ処理方法。
【請求項１３】
前記第１のセンサーは、対象者のおむつに装着されて、対象者の排泄を検知するおむつセンサーであり、
前記第２のセンサーは、介護施設の居室に設置されて、気温を検知する温度センサーである、
ことを特徴とする請求項１２に記載のデータ処理方法。
【請求項１４】
前記送受信機を識別する識別ＩＤと、前記送受信機が設置される場所を識別する情報とを登録する第１のテーブルと、
前記センサーが検知するセンサー情報の状態に応じて発報の条件、通知先の電話番号、表示色、着信音を登録する第２のテーブルと、を有し、
前記処理装置は、前記センサー情報の処理結果に基づいて、前記第２のテーブルに登録された電話番号へ発報し、かつ表示色を指定する情報を送信すること
ことを特徴とする請求項１０に記載のデータ処理方法。
【請求項１５】
センサーが検知するセンサー情報を受信する汎用インターフェースと、
電話機用インターフェースと、
前記汎用インターフェースを介して受信するセンサー情報を、前記電話機用インターフェースへ送出し、前記電話機用インターフェースを介して送られる制御情報の受信を行う処理ユニットと、
前記処理ユニットに接続され、複数の色を表示することができる表示部と、を有し、
前記処理ユニットは、前記制御情報に応じて予め定められた色を表示するように、前記表示部を制御することを特徴とする送受信機。
【請求項１６】
前記電話機用インターフェースは、ＢチャネルとＤチャネルを有する多機能電話機インターフェースであること、
を特徴とする請求項１５に記載の送受信機。 
【請求項１７】
前記Ｄチャネルは、おむつセンサーが検知する前記センサー情報を送信することを特徴とする請求項１６に記載の送受信機。 
【請求項１８】
少なくとも前記処理ユニット及び前記表示部を収納し、前記表示部が発光する色を外部から認識可能な透明または半透明性のプラスチック部材で形成されたケースを備え、
前記ケースの底部には、複数の脚または引掛け部が設けられる、
ことを特徴とする請求項１５に記載の送受信機。
【請求項１９】
対象物の状態を検知するセンサーからのセンサー情報を受信し、該センサー情報を、電話機用インターフェースを用いて送信する制御を行う処理ユニットと、前記処理ユニットの制御により複数の色を表示することができる表示部とを有する送受信機と、 
前記センサー情報の状態に応じて通報の条件を管理し、前記センサー情報に応じて該通報を指示する処理装置と、を有し、
前記送受信機の前記処理ユニットは、前記処理装置から前記電話機用インターフェースを用いて送信される、前記通報に応じて予め定められた色を表示するように前記表示部を制御する
ことを特徴とするセンサー情報処理システム。